(57)【特許請求の範囲】
【請求項１】
壁面に取り付けられて用いられる煙感知器であって、
壁面に取り付け可能な基部、及び、前記基部に取り付けるカバー部を有し、少なくとも側周面からの煙の流入を許容するケース部と、
前記ケース部に収容され、流入した煙を感知可能なセンサ部と、を備え、
前記カバー部及び前記基部のうち少なくとも何れか一方に、前記カバー部と前記基部とを固定する固定具を挿通可能なボス部を備え、
前記ボス部を、前記ケース部を壁面に取り付けたときに前記センサ部の上方となる位置に配置し、
前記ボス部は、上方から落下してくる埃を堆積させる堆積部を有する煙感知器。
【請求項２】
前記センサ部の側周面に煙を導入可能な複数の煙導入口を設け、前記ボス部は、上側に向けて開口する前記煙導入口の上方に位置するように構成してある請求項１に記載の煙感知器。
【発明の詳細な説明】
【技術分野】
【０００１】
本発明は、火災時の煙の発生を感知する煙感知器に関する。
【背景技術】
【０００２】
煙感知器は、例えば、発光部と受光部とを有する光拡散式のセンサ部を備え、センサ部の内部に流入した煙によって散乱された発光部からの光を受光部が検出することで煙の存在を感知するものである。しかし、特に、壁面に設置した煙感知器は、埃等の異物が上方から侵入しやすい環境にある。センサ部の内部に埃等が侵入すると、煙が不在である時にも散乱光を生じ、誤感知する虞がある。
【０００３】
そこで、特許文献1に記載の煙感知器では、発光部から照射される光を、発光部と受光部との各軸心同士の交差地点を含む煙感知領域に向けて反射する反射板が、発光部に対して対向配置し、発光部の軸心と受光部の軸心とを含む平面が鉛直状となる設置状態において、反射板の上方に隣接する間隙と反射板の背後の空間とを反射板の反射面を介さずに連通接続させる埃導入経路が設けてある。
【０００４】
特許文献１に記載の煙感知器であると、発光部に対して反射板を対向配置することで、発光部から照射される光が煙感知領域に向けて反射され、煙感知領域に進入した煙による散乱光の輝度または光量が増す。また、反射板の上方に隣接する間隙から埃などが進入しても、埃は埃導入経路を介して反射板の背後の空間に移動するので、埃が反射面に付着または堆積し難くなる。これにより、センサ部内に侵入した埃等により感知能力が低下するのを抑制できるとされていた。
【先行技術文献】
【特許文献】
【０００５】
【特許文献１】特開２０１０−２０４７０号公報
【発明の概要】
【発明が解決しようとする課題】
【０００６】
しかし、特許文献１に記載の煙感知器は、センサ部内に埃が侵入しても、その侵入した埃が煙感知領域に達しないようにする技術である。また、特許文献１には、水平投影面積が広い受光部を上方に設けることにより、センサ部内への埃の侵入を軽減する示唆があるが、上方に向けて開口する煙導入口が存在する限り、センサ部の内部に埃が侵入するのを防止するものではない。
【０００７】
上記実情を鑑み、本発明は、センサ部内へ埃等の異物が侵入しにくい構造の煙感知器を提供することを目的とする。
【課題を解決するための手段】
【０００８】
本発明に係る煙感知器の第一特徴構成は、壁面に取り付けられて用いられる煙感知器であって、壁面に取り付け可能な基部、及び、前記基部に取り付けるカバー部を有し、少なくとも側周面からの煙の流入を許容するケース部と、前記ケース部に収容され、流入した煙を感知可能なセンサ部と、を備え、前記カバー部及び前記基部のうち少なくとも何れか一方に、前記カバー部と前記基部とを固定する固定具を挿通可能なボス部を備え、前記ボス部を、前記ケース部を壁面に取り付けたときに前記センサ部の上方となる位置に配置し、前記ボス部は、上方から落下してくる埃を堆積させる堆積部を有する点にある。
本構成によると、センサ部がケース部に収容されると共に、ケース部を構成するカバー部と基部とを固定する固定具を挿通するボス部が、センサ部の上方に配置される。よって、上方から落下してくる埃をボス部の上面の堆積部に確実に堆積させることができ、埃がセンサ部の内部に侵入することを防止することができる。
【０００９】
本発明に係る煙感知器の第二特徴構成は、前記センサ部の側周面に煙を導入可能な複数の煙導入口を設け、前記ボス部は、上側に向けて開口する前記煙導入口の上方に位置するように構成した点にある。
本構成であると、仮に、上方からケース内に埃等が侵入しても、ボス部の上面の堆積部に堆積する確率が高く、上側に向けて開口する煙導入口には到達し難くなる。
【図面の簡単な説明】
【００１４】
【図１】（ａ）は、煙感知器の正面方向からの斜視図である。（ｂ）は、煙感知器の背面方向からの斜視図である。
【図２】は、煙感知器の背面視の断面図である。
【図３】は、煙感知器の背面方向からの分解斜視図である。
【図４】は、リアケースを外した状態の煙感知器の背面方向からの斜視図である。
【図５】は、図２におけるＶ−Ｖ方向の端面図である。
【図６】は、図２におけるＶＩ−ＶＩ方向の断面図である。
【図７】は、図２におけるＶＩＩ−ＶＩＩ方向の断面図である。
【図８】は、壁面に固定したベースとケースとの関係を示す斜視図である。
【図９】は、ベースにケースを支持したときの背面図である。
【図１０】は、壁面に設置した煙感知器に対する煙の流れを示す上面図である。
【図１１】は、図１０の煙の流れを示す模式図である。
【発明を実施するための形態】
【００１５】
以下に、本発明に係る煙感知器の実施形態を図面に基づいて説明する。
【００１６】
〔全体構成について〕
図１及び図２に示すごとく、煙感知器は、側周面からの煙の流入を許容すると共に、正面視において正方形状、即ち、非円形状のケース部（以下、「ケース１」と称する）と、ケース部に収容され、流入した煙を感知可能な光電式のセンサ部（以下、「センサ３」と称する）と、正面視においてケース部の四角形状よりも小さい円形状であって、壁面に固定可能であり、ケース部を取り付け可能な取付下地部（以下、「ベース４」と称する）と、を備えている。
【００１７】
ケース１の内部に流入した煙をセンサ３が感知し、煙の濃度が予め設定してある閾値を越えた場合に、スピーカ５から警報音を発する。警報音を停止するには、ケース１の表面に配設された警報停止ボタン６を押せば、警報音を停止することができる。警報器が高所に設置され、警報停止ボタン６に手が届かないような場合は、ケース１から下方に垂らすことが可能な警報停止引きヒモ７を引いても警報音は停止する。
【００１８】
以下、煙感知器を壁面に設置することを前提として、壁面とは反対側を表面側または前側とし、壁面側を背面側または後側とする。したがって、本発明に係る「正面視」とは表面側から煙感知器を観ることを示す。上下方向については、図１及び図２の紙面上方向が煙感知器の「上」であり、同下方向が「下」であるとして説明を行う。図３においては紙面左方向が煙感知器の「上」であり、図４においては紙面右下方向が「上」であり、図５においては紙面上方向が「上」であり、図６及び図７においては紙面手前方向が「上」であり、図９においては紙面上方向が「上」であり、図１０においては紙面手前が「上」である。
【００１９】
〔ケースの概要〕
ケース１は、図３及び図５に示すごとく、背面側となる基部（以下、「リアケース１ａ」）と、表面側となるカバー部（以下、「フロントケース１ｃ」と称する）と、リアケース１ａとフロントケース１ｃとで囲まれるケース１の内部空間を前後方向に仕切る仕切部（以下、「中間ケース１ｂ」と称する）と、を備えている。フロントケース１ｃとリアケース１ａと中間ケース１ｂとは、樹脂製であって、射出成形によって製作してある。ケース１には、センサ３、基板２、スピーカ５、警報停止ボタン６等が収容される。
【００２０】
フロントケース１ｃの表面は、図５に示すごとく、外周部分が背面側に僅かに傾斜しているのみで、全体としては略フラットである。フロントケース１ｃの外周端は、背面側に立ち上げてある。中間ケース１ｂの外周端は表面側に立ち上げてある。さらに、リアケース１ａの外周端も表面側に立ち上げてあり、その立ち上がり部分がケース１の側周面を構成する。リアケース１ａの立ち上がり部分には、格子状の煙流入口１１が形成してあり、ケース１の内部への煙の流入が許容される。リアケース１ａの外周端は背面側にも僅かに立ち上げてあり、ケース１をベース４に取り付けたときに、ベース４の一部がこの立ち上がり部分に収まるようにしてある。フロントケース１ｃ、リアケース１ａ、中間ケース１ｂの順に正面視形状が小さくなり、フロントケース１ｃの立ち上がり部分と、中間ケース１ｂの立ち上がり部分との隙間に、リアケース１ａの立ち上がり部分が差し込まれている。
【００２１】
〔センサの概要〕
センサ３は、図２に示すごとく、円筒形状であって、側周面に備えられて煙を導入可能な複数の煙導入口３ｃと、外部からの光を遮断するように間隙を介して並置された複数のラビリンス状の壁部と、センサ３の内部に光を照射する発光部３ａと、センサ３の内部に流入した煙による散乱された発光部３ａからの光を感知する受光部３ｂと、を備えている。このセンサ３は既に公知であるので、煙感知のメカニズムについてはここでは説明しない。なお、煙導入口３ｃの外周側には防虫網３ｄが設けてある。
【００２２】
〔基板の概要〕
基板２には、図３に示すごとく、センサ３と電源コネクタ２ｃが配設されると共に、スピーカ５が接続されている。基板２は、不図示の電気回路がプリントされ、不図示の電子部品が配設され、煙の感知や警報音の発令等を制御する。基板２のうちセンサ３を配設した面と同じ面に、煙調整部２ａが備えられている。煙調整部２ａを介して、外部から基板２側に信号やデータを送ったり、基板２側から外部に信号やデータを読み出したりすることでき、製品製造過程における実煙を用いた煙流入性能の調整に使用する。
【００２３】
また、基板２のうちセンサ３を配設した面と同じ面には、自動試験機能を司る自動試験部２ｂが備えられている。自動試験機能とは、「火災報知設備に係る機能が適正に維持されていることを、自動的に確認することができる装置による火災報知設備に係る試験機能」である（中継器に係る技術上の規格を定める省令２条１２号）。自動試験部２ｂには、製品を分解せずに容易に外部から接触できなければならないことが、日本消防検定協会により規定されている。製品状態で、自動試験部２ｂに外部から金属片を接触させて試験用端子をショートさせることにより、故障と同じ状態を発生させ、適切に故障を認識するかを確認する。
【００２４】
〔ケースの組立について〕
煙感知器の組立概要、及び、各部材の相対位置関係について説明する。先ず、図３及び図５に示すごとく、フロントケース１ｃに形成した警報停止ボタン６用の開口に背面側から警報停止ボタン６を落とし込み、左右方向を軸芯として揺動可能にフロントケース１ｃに支持する。警報停止ボタン６は、背面方向に立設形成されたヒモ掛け部６ａを備えており、警報停止引きヒモ７を掛けることも外すことも可能である。警報停止ボタン６は、自身が押されるか、警報停止引きヒモ７が引かれるかすることによって背面側に揺動し、基板の表面側に配設された不図示の警報音停止用のスイッチを押すことが可能である。
【００２５】
次に、基板２を、図３及び図５に示すごとく、センサ３が配設されている面を背面側に向けた状態で、スピーカ５と共にフロントケース１ｃの所定の位置に嵌め込む。続いて、基板２に覆い被せるように、中間ケース１ｂをフロントケース１ｃに嵌め込む。フロントケース１ｃの内面のうち対角をなす任意の入隅二箇所の内側面には内側に突出した突起（図番なし）が形成されている。中間ケース１ｂの外側面にも、ケース１ｃの突起に対応させて外側に突出した突起（図番なし）が形成されている。中間ケース１ｂの立ち上がり部分の先端面がフロントケース１ｃの背面に接触するまで、中間ケース１ｂを無理に押し込むと、両突起が互いを乗り越えて係合する。これにより、中間ケース１ｂはフロントケース１ｃに対して固定され、フロントケース１ｃと一体となる。中間ケース１ｂには、図３に示すごとく、センサ３と略同径の開口が形成されており、中間ケース１ｂがセンサ３と干渉することはない。中間ケース１ｂの配設後は、図４に示すごとく、センサ３が中間ケース１ｂよりも背面側に突出した状態となるが、センサ３と中間ケース１ｂの開口との間に隙間はない。フロントケース１ｃと中間ケース１ｂとの間の空間が、本発明に係る「基板配設空間ＳＡ」となる。即ち、基板２及びスピーカ５は基板配設空間ＳＡに配設されている。
【００２６】
次に、中間ケース１ｂとセンサ３とに覆い被せるように、図５に示すごとく、フロントケース１ｃの立ち上がり部分と中間ケース１ｂの立ち上がり部分との間に、リアケース１ａの立ち上がり部分を嵌め込む。リアケース１ａと中間ケース１ｂとの間の空間が、本発明に係る「煙誘導空間ＳＢ」である。即ち、センサ３は、中間ケース１ｂによって基板配設空間ＳＡと分断された煙誘導空間ＳＢに配設されている。煙流入口１１は煙誘導空間ＳＢに大きく開放されており、煙は円滑に煙誘導空間ＳＢに流入可能である。
【００２７】
図３に示すごとく、フロントケース１ｃ、中間ケース１ｂ、及び、リアケース１ａには、正面視で同位置に「固定具」としてのビスを挿通するためのボス部1ｄが立設形成されている。フロントケース１ｃに中間ケース１ｂを嵌め込むと、中間ケース１ｂのボス部1ｄがフロントケース１ｃのボス部1ｄに覆い被さる。さらにリアケース１ａを嵌め込むと、リアケース１ａのボス部1ｄの先端部と中間ケース１ｂのボス部1ｄの先端部とが突き合わされる。このようにして、フロントケース１ｃのボス部1ｄ、中間ケース１ｂのボス部1ｄ、及び、リアケース１ａのボス部1ｄが一体となって、フロントケース１ｃからリアケース１ａに亘るボス部1ｄを構成される。リアケース１ａの背面側からボス部1ｄにビスを締め込むと、リアケース１ａがフロントケース１ｃに固定されると共に、中間ケース１ｂもケース１内に完全に固定され、ケース１が組み上がる。
【００２８】
以上により、図１に示すごとく、正面視において正方形状であり、かつ、側面視において四角形状であるケース１が完成する。上述したように、基板２をフロントケース１ｃに配設し、センサ３をリアケース１ａの側に寄せて設けることにより、煙感知器の前後方向の厚さを薄くし、薄型の煙感知器とすることができる。
【００２９】
〔ケースの内部構造・煙誘導リブについて〕
ケース１の内部構造について説明する。図２に示すごとく、ケース１の内部には、煙流入口１１から流入した煙をセンサ３の煙導入口３ｃまで誘導する「煙誘導部」としての煙誘導リブ１２，３１を形成してある。ケース１の内部に３６０°どの方向から煙が流入してもセンサ３が煙を感知が可能なように、煙導入口３ｃはセンサ３の側周面に略均等に設けてある。しかし、ケース１の内部空間にはセンサ３以外に、ボス部1ｄ、後述する電池収容部１５や外部出力機構収容部１４等も存在し、煙の流通が円滑に行われない虞がある。煙誘導リブ１２，３１は、煙が３６０°どの方向からセンサ３内部に流入しても、煙がボス部1ｄ等を回避しつつも煙導入口３ｃまで円滑に到達できるよう誘導するものである。煙誘導リブ１２，３１は、前後方向に中間ケース１ｂとリアケース１ａとに亘るよう設けてある。煙誘導リブ１２，３１は、煙誘導空間ＳＢを、煙が流通する空間と電池収容部１５等とに仕切る役割も成している。
【００３０】
煙誘導リブ１２，３１は、図５に示すごとく、中間ケース１ｂの背面側に背面側に向けて立設形成したもの３１と、リアケース１ａの正面側に正面側に向けて立設形成したもの１２とがある。このように、煙誘導リブ１２，３１を中間ケース１ｂとリアケース１ａとに分散させることにより、射出成形が複雑になるのを防止している。煙誘導リブ１２，３１が形成されていない側の部材において、煙誘導リブ１２，３１の先端部が当接する箇所を、その先端部の形状に合せて凹入してある。即ち、インロー構造としてある。煙誘導リブ１２，３１がこの凹部３２，１３に嵌り込むことにより、単に煙誘導リブ１２，３１を突き付けた場合と比べて隙間が生じ難いと共に、片持ち構造である煙誘導リブ１２，３１の自由端（先端部）が保持され、煙誘導リブ１２，３１が位置決めされて安定する。
【００３１】
本実施形態のように、壁面に煙感知器を設置した場合、煙流入口１１が上方を向くため、上方から埃等の異物がケース１内に侵入する虞がある。この異物が、煙導入口３ｃからラビリンス構造の壁部の間をすり抜けてセンサ３内部に侵入すると、発光部３ａの光がその異物によって散乱され、誤報が発令される虞がある。ただし、異物が大きい場合は防虫網３ｄに引っ掛かってセンサ３の内部に侵入することはない。
【００３２】
そこで、図２に示すごとく、煙導入口３ｃのうち上方に向けて開口する煙導入口３ｃの上方に、ボス部1ｄや煙誘導リブや外部出力機構収容部１４を適切に配置してある。仮に、上方からケース１内に埃等が侵入しても、これらの部材の上面に堆積する確率が高く、煙導入口３ｃには到達しにくい。特に、最も上側に位置する煙導入口３ｃに関しては、上方に対する開口率が高いため、埃等の侵入の危険性が高い。そこで、最も上側に位置する隣合う煙導入口３ｃの上方に位置する煙誘導リブについては、隣合う煙導入口３ｃの間においてセンサ３の側周面に沿う水平部１２ａと、水平部１２ａから斜め上方に延出する傾斜部１２ｂと、を備えている。この結果、ケース部内に流入した煙を煙導入口３ｃに円滑に誘導しながらも、煙誘導リブの水平投影面積が大きくなり、センサ部内への埃等の侵入を防止する確実性が高まる。
【００３３】
リアケース１ａには、図８に示すごとく、外部に煙感知情報を出力する外部出力機構を収容する外部出力機構収容部１４と、煙感知器の駆動電源としての電池を収容する電池収容部１５と、が形成されている。外部出力機構収容部１４と電池収容部１５とは、リアケース１ａを正面側に凹入した有底の凹部である。図２に示すごとく、外部出力機構収容部１４の側壁の一部と電池収容部１５の側壁の一部とは、本発明に係る「煙誘導部」としても機能している。外部出力機構収容部１４の先端部は、図６に示すごとく、中間ケース１ｂに当接しており、上述したインロー構造としてある。電池収容部１５は、電池を収容するため、前後方向に深さを必要とし、中間ケース１ｂとリアケース１ａとの前後方向の高さでは収まりきらない。よって、図２に示すごとく、中間ケース１ｂに電池収容部１５の外形に合せた開口を設け、その開口に電池収容部１５が嵌り込む構造としてある。
【００３４】
上述したように、中間ケース１ｂをフロントケース１ｃに嵌め込めば、センサ３は位置決めされる。よって、この状態で煙流入性能の調整が可能である。そこで、図４に示すごとく、中間ケース１ｂのうち煙調整部２ａに対向する箇所に「開口部」としての煙調整孔３３を形成してある。これにより、製品製造途中において煙調整が可能である。煙調整孔３３は、基板配設空間ＳＡと煙誘導空間ＳＢとを連通するものであるが、煙調整孔３３が煙誘導リブに囲まれる隔離領域ＳＰに対して開口するよう構成してある。本実施形態においては、図２及び図６に示すごとく、煙誘導部を兼ねる外部出力機構収容部１４の底部分が煙調整孔３３を閉塞するよう構成してある。これにより、煙流入性能の調整を行った後、リアケース１ａを組み上げるだけで、煙調整孔３３は閉塞される。この結果、煙流入口１１から煙誘導空間ＳＢに水滴や虫等の異物が侵入したとしても、煙調整孔３３に到達できず、基板２に接触することはない。よって、基板２の故障を防止できる。
【００３５】
同様に、異物の接触を嫌う電源コネクタ２ｃに関しても、図２に示すごとく、外部出力機構収容部１４とは異なる隔離領域ＳＰに配置し、異物の接触を防止してある。よって、基板２の故障を防止できる。
【００３６】
上述したように、自動試験部２ｂについては、製品を分解せずに容易に外部から接触できなければならない。よって、中間ケース１ｂのうち自動試験部２ｂに対向する箇所に自動試験孔３４を形成し、さらにその前後方向の延長線上のリアケース１ａにも自動試験孔１７を形成してある。これにより、製品組立後の自動試験機能の確認が可能である。自動試験孔３４は、基板配設空間ＳＡと煙誘導空間ＳＢとを連通するものであるが、図７に示すごとく、中間ケース１ｂの自動試験孔３４の外周を基板２に当接するように立ち上げ、煙誘導空間ＳＢに露出する基板２の範囲を最小限に抑えている。
【００３７】
〔ベースについて〕
ベース４は、図８に示すごとく、ケース１に先行して壁面に固定するものである。ベース４は樹脂製であり、射出成形により製作してある。図９に示すごとく、ベース４は円形状であり、リアケース１ａの正方形状に内接する大きさである。即ち、ベース４に対してケース１を最大限小さくすることにより、コンパクトなケース１にしているとも言えるし、また、ケース１に対してベース４を最大限大きくすることにより、ケース１を安定して支持できる構成であるとも言える。ベース４の外周部の四箇所には径外方向に突出す突起部４１を形成してある。突起部４１には、図８に示すごとく、固定具、例えば、石膏ボードピンＰを挿通可能な孔が形成してあり、四箇所の突起部４１を介して石膏ボードの壁面にベース４を取り付けることができる。なお、ベース４には、ビス穴４４も形成してあり、ビス等によっても取り付けることも可能である。
【００３８】
〔ベースへのケースの取り付けについて〕
ケース１をベース４に取り付ける要領について説明する。図８に示すごとく、リアケース１ａの中心部に背面側に突出する被案内部１６を一体形成し、ベース４の中心部に背面側に凹入する案内部４２を一体形成してある。被案内部１６は、正面視円形状であり、外周部の二箇所を径外方向に突起させてある。案内部４２は被案内部１６の形状に沿う形状に形成してあり、案内部４２を嵌り込める形状としてある。ケース１をベース４に取り付ける際は、ベース４の円形部分がケース１の背後に隠れてしまうが、突起部４１のみが視認できるようになっており、複数の突起部４１からベースの中心が判断できる。さらに、被案内部１６が案内部４２に嵌り込む構成であるため、ケース１とベース４との芯合わせが容易である。被案内部１６が案内部４２に嵌り込めば、両者は位置決めされる。その後は、案内部４２の案内に従ってケース１を回転させると、リアケース１ａの背面側外周部分に設けた係合フック１８が、ベース４の正面側外周部分に設けた係合フック４３に係合し、ケース１をベース４に取り付けることができる。ケース１をベース４に取り付けると、図５に示すごとく、側面視において、ベース４のうち一部がリアケース１ａから背面側、即ち壁面の側に突出する。
【００３９】
このようにして、煙感知器を壁面に設置する。なお、ケース１が正面視で正方形状であるため、ケース１の外周四辺が、設置空間の天井面及び床面に対して平行または垂直となる。よって、円形状とする場合と比べて設置空間に馴染み易い。
【００４０】
〔煙感知器への煙の流入について〕
煙感知器への煙の流入について説明する。説明の便宜上、煙の流れが水平方向である場合について説明する。上述したように、ケース１をベース４に取り付けると、側面視においてベース４の一部がリアケース１ａから突出する。即ち、図１０に示すごとく、煙感知器を壁面Ｗに設置したときには、ケース１が壁面Ｗから少し浮いた状態となる。このため、壁面Ｗによる摩擦損失によって気流速度が落ちた壁面沿いの煙は、リアケース１ａと壁面Ｗとの隙間のスペースに流れ込み、気流速度が落ちていない壁面Ｗから離れた煙はそのまま煙流入口１１に流入する。また、ベース４が円形状であるため、壁面沿いの煙はベース４の側面に沿って気流方向下流側へ円滑に案内される。ベース４の側面に多少の煙がぶつかって気流の乱れが生じるが、ベース４が正面視においてケース１よりも小さく、ベース４の側面と煙流入口１１とが離れているため、煙流入口１１から流入する煙に対する影響は少ない。よって、上述したように薄型の煙感知器とすることにより、煙流入口１１が従来よりも壁面に近くなっても、煙感知器の応答性が損なわれることはない。
【００４１】
〔別実施形態〕
（１）上述の実施形態においては、ケース部１の形状を正方形状としたが、この形状に限定されるものではなく、非円形状であれば良い。ケース部１は、例えば、三角形状等の他の多角形状や、楕円形状などの非線形形状であっても良い。なお、正方形状を含む多角形状である場合、正面視の角を面取りしてあっても良い。
（２）上述の実施形態においては、基板２は、フロントケース１ｃと中間ケース１ｂとの間に配設したが、これに限られず、リアケース１ａと中間ケース１ｂとの間に配設してあっても良い。この場合は、リアケース１ａの側から組み上げる構成とする。
【産業上の利用可能性】
【００４２】
本発明は、壁面に設置され、光電式のセンサによって煙を感知する煙感知器に適用可能である。
【符号の説明】
【００４３】
１      ケース（ケース部）
１ａ    リアケース（基部）
１ｃ    フロントケース（カバー部）
１ｄ    ボス部
３      センサ（センサ部）
１２    煙誘導リブ（煙誘導部）
３１    煙誘導リブ（煙誘導部）
Ｗ      壁面
【図１】
0005643522.tif 000002
【図２】
0005643522.tif 000003
【図３】
0005643522.tif 000004
【図４】
0005643522.tif 000005
【図５】
0005643522.tif 000006
【図６】
0005643522.tif 000007
【図７】
0005643522.tif 000008
【図８】
0005643522.tif 000009
【図９】
0005643522.tif 000010
【図１０】
0005643522.tif 000011
【図１１】
0005643522.tif 000012